(57)【要約】【課題】移動体端末の時間経過に伴う特性の変動の傾向などを一画面で容易に把握できるようにする。【解決手段】試験対象の移動体端末との間で信号の授受を行ない、指定された測定項目に関する測定を実行する測定部２１と、表示部３０と、測定部２１が実行する測定項目を指定させるための操作部４０と、操作部４０によって指定された測定項目を測定部２１に指定し、その指定された測定項目について得られた測定結果を表示部３０に表示する制御部５０とを備えた移動体端末試験装置において、制御部５０に、測定部２１において得られる異なる時間帯毎の測定結果に基づいて、時間経過に関する座標軸を含む３次元のグラフの表示データを生成して表示部３０に表示する３次元測定結果表示手段５６を設けた。【選択図】図２
2016065753.tif 000002
【特許請求の範囲】
【請求項１】
試験対象の移動体端末との間で信号の授受を行ない、指定された測定項目に関する測定を実行する測定部（２１）と、
表示部（３０）と、
前記測定部が実行する測定項目を指定させるための操作部（４０）と、
前記操作部によって指定された測定項目を前記測定部に指定し、該指定された測定項目について得られた測定結果を前記表示部に表示する制御部（５０）とを備えた移動体端末試験装置において、
前記制御部に、
前記測定部において得られる異なる時間帯毎の測定結果に基づいて、時間経過に関する座標軸を含む３次元のグラフの表示データを生成して前記表示部に表示する３次元測定結果表示手段（５６）を設けたことを特徴とする移動体端末試験装置。
【発明の詳細な説明】
【技術分野】
【０００１】
本発明は、携帯電話やスマートフォン等の移動体端末の試験を行なう試験装置において、移動体端末に対する種々の測定結果をグラフ表示する際に、測定結果の時間経過に伴う変化を直感的に把握できるようにするための技術に関する。
【背景技術】
【０００２】
移動体端末は、年々、高速化、高機能化しており、その端末の試験を行なうための測定項目も多岐にわたっている。
【０００３】
例えば、ＬＴＥ方式の端末から送信された信号に対する測定項目には、占有帯域幅（Occupied Bandwidth）、スペクトラム放射マスク（Spectrum Emission Mask）、隣接チャネル漏洩電力（Adjacent Cannel Power）、帯域内放射（In-Band Emission）、スペクトラム平坦度（Spectrum Flatness）、変調のエラーベクトル振幅（Error vector Magnitude）、変調の位相誤差（Phase Error）、変調の振幅誤差（Magnitude Error）、シンボル点位置（Constellation）等がある。
【０００４】
これらの測定項目についての測定結果は、試験装置が移動体端末から出力された信号に対する復調処理およびその復調結果に対する演算処理によって得られ、その測定結果を数値的に表すとともに、例えばその数値結果の基になるスペクトラム等の波形を、横軸を周波数、縦軸をレベル（レベルの偏差も含む）とする２次元のグラフで表示する場合が多い。
【０００５】
このように、移動体端末に対する測定結果として数値的なもの以外に、２次元のグラフを表示する技術は、例えば特許文献１に記載されている。
【先行技術文献】
【特許文献】
【０００６】
【特許文献１】特開２０１２−１８１９５号公報
【発明の概要】
【発明が解決しようとする課題】
【０００７】
しかしながら、上記のように、測定結果を周波数とレベルの２次元座標軸上にグラフ表示するものでは、測定結果の時間経過に伴う変化がわからず、移動体端末の時間経過に伴う特性の変動の傾向などを一画面で容易に把握できないという問題があった。
【０００８】
本発明は、この問題を解決し、移動体端末の時間経過に伴う特性の変動の傾向などを一画面で容易に把握できる移動体端末試験装置を提供することを目的としている。
【課題を解決するための手段】
【０００９】
前記目的を達成するために、本発明の請求項１の移動体端末試験装置は、
試験対象の移動体端末との間で信号の授受を行ない、指定された測定項目に関する測定を実行する測定部（２１）と、
表示部（３０）と、
前記測定部が実行する測定項目を指定させるための操作部（４０）と、
前記操作部によって指定された測定項目を前記測定部に指定し、該指定された測定項目について得られた測定結果を前記表示部に表示する制御部（５０）とを備えた移動体端末試験装置において、
前記制御部に、
前記測定部において得られる異なる時間帯毎の測定結果に基づいて、時間経過に関する座標軸を含む３次元のグラフの表示データを生成して前記表示部に表示する３次元測定結果表示手段（５６）を設けたことを特徴とする。
【発明の効果】
【００１０】
このように構成したので、本発明の移動体端末試験装置では、試験対象の移動体端末に対して異なる時間帯に行なった測定で得られる測定結果に基づいて、時間経過に関する座標軸を含む３次元のグラフの表示データが生成されて表示部に表示されるので、移動体端末の時間経過に伴う特性の変動の傾向などを一画面上で容易に把握できる。
【図面の簡単な説明】
【００１１】
【図１】本発明の実施形態の構成図
【図２】実施形態の要部の機能ブロック図
【図３】測定項目一覧の初期画面の例を示す図
【図４】所望の測定項目を有効指定したときの画面の例を示す図
【図５】有効指定した測定項目についての測定結果の概略をタッチ操作したときに表示される詳細な測定結果の例を示す図
【図６】詳細な測定結果の画面でボタン３Ｄをタッチ操作したときに表示される３次元測定結果の例を示す図
【図７】移動体端末との間で授受されるメッセージに関する測定項目の一覧の表示例を示す図
【図８】メッセージに関する測定項目の一つの詳細な測定結果の例を示す図
【発明を実施するための形態】
【００１２】
以下、図面に基づいて本発明の実施の形態を説明する。
図１は、本発明を適用した移動体端末試験装置２０の構成を示している。
【００１３】
この移動体端末試験装置２０は、測定部２１、表示部３０、操作部４０および制御部５０によって構成されている。
【００１４】
測定部２１は、移動体端末１との間で基地局を模した通信を行う疑似基地局装置の機能を有するものであり、データ生成部２２、送信部２３、カプラ２４、受信部２５、データ解析部２６によって構成されている。
【００１５】
データ生成部２２は、移動体端末１との間のリンク接続（呼接続）および試験に必要な各種メッセージを含むベースバンド信号をデータ生成部２２で生成して送信部２３に与える。送信部２３は、入力されたベースバンド信号を予め指定された変調形式による変調処理を行い、その変調処理された信号を、移動体端末１との通信を行なう周波数帯へ変換処理してカプラ２４を介して移動体端末１に与える。
【００１６】
また、受信部２５は、移動体端末１から送信された信号を、カプラ２５を介して受け、送信部２３と逆の周波数変換処理とベースバンドへの復調処理を行い、得られたベースバンド信号をデータ解析部２６に与える。
【００１７】
データ解析部２６は、得られたベースバンド信号に対して予め指定された測定項目に関する解析処理を行なう。
【００１８】
例えば、通信方式がＬＴＥの場合で、指定された測定項目が占有帯域幅（Occupied Bandwidth）であれば、得られたベースバンド信号に対するスペクトラム解析処理（高速フーリエ変換処理）を行い、そのスペクトラム波形を求め、占有帯域幅の値を求める。
【００１９】
また、指定された測定項目が、スペクトラム放射マスク（Spectrum Emission Mask）の場合、前記同様にスペクトラム解析を行い、そのスペクトラム波形を求め、所定のスペクトラムマスクの範囲にあるか否かを判定する。
【００２０】
また、指定された測定項目が隣接チャネル漏洩電力（Adjacent Cannel Power）の場合には、スペクトラム解析を隣接チャネルまで拡げて行い、そのスペクトラム波形を求め、隣接チャネルへの漏洩電力の値を求める。
【００２１】
さらに、指定された測定項目が帯域内放射（In-Band Emission）の場合、前記同様にスペクトラムを求め、その帯域内の総電力の値を求める。
【００２２】
また、指定された測定項目がスペクトラム平坦度（Spectrum Flatness）の場合、前記同様にスペクトラム波形を求め、帯域内におけるスペクトラムの平坦度（基準値に対するレベル偏差）の値を求める。
【００２３】
また、変調品質に関する測定項目として、エラーベクトル振幅（Error vector Magnitude）、位相誤差（Phase Error）、振幅誤差（Magnitude Error）、シンボル点位置（Constellation）が指定されている場合には、変調方式に基づいて得られる基準シンボル点に対するベクトル振幅の誤差、位相誤差、振幅誤差を求める。
【００２４】
また、上記したような測定対象の移動体端末１の送信信号の品質に関する測定項目の他に、シグナリングテストが指定されたとき、移動体端末１との間で授受される各種メッセージを記憶する。
【００２５】
制御部５０は、測定部２１が移動体端末１に対して行なう測定項目を操作部４０の操作にしたがって指定し、測定部２１で得られた測定結果を表示部３０に表示させる。
【００２６】
表示部３０は例えば所定の画素数を有する液晶型表示パネルによって構成され、操作部４０は、表示部３０の画面に重なり合うタッチパネル式の第１操作部４１と、数値入力用のテンキーや数値可変用のロータリーエンコーダ等を含み、キーの押し込み操作やノブの回転操作等の機械的な操作が必要な第２操作部４２とによって構成されている。
【００２７】
第１操作部４１は、人の指等の接触を検知（静電方式あるいは圧電方式のいずれでもよい）するための透明電極（図示せず）が微細なピッチで配列されており、タッチされた位置を特定する情報（タッチ位置情報）を制御部５０に出力する。制御部５０は、タッチ位置情報が、予め設定したタッチ操作領域のいずれに属するかを判定して、そのタッチ操作領域に割当てた項目について必要な処理を行なう。
【００２８】
なお、ここでは機械的操作が必要な第２操作部４２にテンキーやロータリーエンコーダ等を含めているが、テンキーやロータリーエンコーダの画像を表示部３０の画面に表示し、それらに対応する第１操作部４１の位置にタッチ操作領域を設定して、タッチ操作させることで、数値入力や数値変更を行なうこともできる。
【００２９】
制御部５０は、移動体端末１に対して行なう試験について必要な各種のパラメータの設定や測定項目の指定等を、操作部４０に対する操作にしたがって行うとともに、測定部２１で得られた測定結果の表示に関する制御を行なう。
【００３０】
制御部５０の処理は多岐に渡っているが、ここでは測定項目の指定や測定結果の表示に関する処理についてのみ説明する。図２に測定項目の指定および測定結果の表示に関する処理を行なう機能ブロック構成を示す。
【００３１】
図２において、測定項目一覧表示手段５１は、測定部２１が試験対象の移動体端末１に対して実行可能な複数の測定項目にそれぞれ割当てられた複数のタッチ操作領域をタッチパネル式の第１操作部４１に設定するとともに、それら複数のタッチ操作領域の各区画およびそれら区画毎の測定項目名を表示部３０の画面に表示する。
【００３２】
図３は、その一例を示すものであり、第１操作部４１に、縦横に１０のタッチ操作エリアＥ(1,1) 〜Ｅ(3,4) を設定し、表示部３０に、それら各操作エリアの区画を示す枠Ｗ(1,1) 〜Ｗ(3,4) を表示し、各枠の上縁に項目名Ｋ(1,1) 〜Ｋ(3,4) を表示している（このように決められた領域を縦横に分けして表示する方式をタイル表示と呼んでいる）。
【００３３】
なお、ＬＴＥ方式の移動体端末の送信信号の品質に関する測定項目名を具体的に挙げれば、項目名Ｋ(1,1) は各測定項目についての数値結果を示す「Numeric」、項目名Ｋ(1,2) は占有帯域幅を示す「OBW」、項目名Ｋ(1,3) はスペクトラム放射マスクを示す「Spectrum Emission Mask）、項目名Ｋ(2,1) は隣接チャネル漏洩電力を示す「ACLR」、項目名Ｋ(2,2) は帯域内放射を示す「In-Band Emission」、項目名Ｋ(2,3) はスペクトラム平坦度を示す「Spectrum Flatness」、項目名Ｋ(3,1) は変調品質に関する測定項目のエラーベクトル振幅を示す「EVM」、項目名Ｋ(3,2) は位相誤差を示す「Phase Error」、項目名Ｋ(3,3) は振幅誤差を示す「Magnitude Error」、項目名Ｋ(3,4) はシンボル点位置を示す「Constellation」が表示される。
【００３４】
有効無効指定手段５２は、測定項目一覧表示手段５１によって測定項目名が表示された測定項目についてその実行を有効にするか無効にするかを指定させるためのものであり、図３では、項目一覧の左に、測定項目名と有効、無効を示す「ＯＮ」、「ＯＦＦ」を縦方向に並べて表示し、「ＯＮ」、「ＯＦＦ」の表示範囲をそれぞれタッチ操作エリア（図示せず）に設定する。
【００３５】
切替ボタン表示手段５３は、有効無効指定手段５２によって無効指定された測定項目に対応するタッチ操作エリアの区画内に測定項目を無効指定状態から有効指定状態に切り替えるための切替ボタンを表示することで、該測定項目が無効指定されていることを知らせる。
【００３６】
図３の例は、すべての測定項目が無効指定されている状態（初期状態）を表すものであり、各測定項目のタッチ操作エリアの中央に「ＯＮ」の表示がなされた切替ボタンＢ(1,1) 〜Ｂ(3,4) が表示されている。なお、この切替ボタンの表示エリアおよびタッチ操作エリアは、測定項目のタッチ操作エリア以内であればどの範囲に設定してもよく、両者を一致させてもよい。
【００３７】
測定結果概略表示手段５４は、有効無効指定手段５２によって有効指定された測定項目に対応するタッチ操作エリア、および、切替ボタン表示手段５３によって表示されている切替ボタンに対するタッチ操作がなされて無効指定状態から有効指定状態に変更された測定項目に対応するタッチ操作エリアの区画に、その測定項目の測定結果の概略を表示することで、その測定項目が有効指定されていることを知らせる。この測定結果の概略は、測定部２１で得られた情報に基づいて、各タッチ操作エリアの表示範囲に入る大きさで生成して表示する。
【００３８】
例えば、図３の状態から、項目Ｋ(1,3) を除くすべての測定項目の切替ボタンにタッチして、それらの測定項目を有効指定し、測定部２１に対して測定を指示すれば、指定された測定項目についての概略の測定結果が所定ドット数で生成されて、例えば図４のように表示される。
【００３９】
したがって、例えば図４の表示を見れば、測定項目として、項目Ｋ(1,3) を除くすべての測定項目について有効指定されていることが一目瞭然に把握できる。
【００４０】
測定結果詳細表示手段５５は、測定結果概略表示手段５４によって測定結果の概略が表示されているタッチ操作エリアのうち、操作者が任意にタッチ操作した測定項目について詳細な測定結果の表示データを生成して、測定項目の一覧表示に代わって画面の広い範囲に渡って大きく表示する。
【００４１】
例えば、図４の状態から、項目Ｋ(1,2) （「OBW」）をタッチ操作すると、図５のように、占有帯域幅について、周波数軸とレベル軸の２次元グラフと数値結果を含む詳細な測定結果の表示データが生成されて画面に大きく表示される。
【００４２】
これによって、操作者は、有効指定されている測定項目のうち、所望の測定項目についての詳細な測定結果を直ちに確認できる。
【００４３】
項目Ｋ(1,2) 以外の他の項目に関しても、その概略の測定結果が表示されている部分をタッチ操作すれば、その項目についての詳細な測定結果の表示データが生成されて、項目一覧表示画面に代わって、表示部３０の画面に大きく表示されることになる。
【００４４】
なお、ここでは、測定項目の有効無効の指定操作がなされたときに測定が済んでいる項目についての概略や詳細を表示するようにしているが、例えば図５に示すようにスタートボタンＢ(Start) をタッチ操作すると、制御部５０は、測定部２１に対し、現時点で有効指定されている測定項目についての測定を指示し、それによって得られた最新の測定結果に基づいて表示が更新されることになる。
【００４５】
また、図５に示しているように、詳細な測定結果の表示画面には、「３Ｄ」と示された３ＤボタンＢ(3D) が表示され、この３ＤボタンＢ(3D) がタッチ操作されると、図２に示された制御部５０に設けられている３次元測定結果表示手段５６により、現在表示されている測定結果の項目について、従来の周波数軸やレベル軸からなる２次元のグラフ表示に代わって、時間経過に関する軸を加えた３次元（３Ｄ）のグラフの表示データが生成されて、表示部３０に表示される。ここで、時間経過に関する軸としては、異なる時間帯に得られる測定結果の元になる信号の入力時刻、測定回数、あるいは所定回（例えば５回）毎の測定結果の平均を１つの単位時間とする場合等のいずれでもよい。
【００４６】
図６は、その一例を示すものであり、図５の２次元の詳細な測定結果に代わって、測定回数軸を加えた占有帯域幅の３次元のグラフが表示され、これによって、占有帯域幅の測定項目についての時間経過に伴う特性の変化を直感的に把握することができる。
【００４７】
３次元測定結果表示手段５６は、上記各測定項目のうち、２次元のグラフを測定結果とする測定項目、即ち、上記項目例で言えば、数値結果のＫ(1,1)とコンスタレーションのＫ(3,4)を除いて、占有帯域幅Ｋ(1,2)、Ｋ(1,3)、スペクトラム放射マスクＫ(2,1)、帯域内放射Ｋ(2,2)、スペクトラム平坦度Ｋ(2,3)、エラーベクトル振幅Ｋ(3,1)、位相誤差Ｋ(3,2)、振幅誤差Ｋ(3,3)の各項目について、異なる時間帯で得られた測定結果に基づいて、時間経過に関する座標軸を加えた３次元のグラフを生成して表示する機能を有している。
【００４８】
なお、ＬＴＥ方式の場合、信号のセグメントが周波数軸方向だけでなく時間軸方向にも分割されており、図４に示した測定結果の概略表示において、エラーベクトル振幅Ｋ(3,1)、位相誤差Ｋ(3,2)、振幅誤差Ｋ(3,3)の測定項目のグラフは、周波数軸とレベル軸の２次元のメイングラフと、その測定項目について特定の周波数における測定値の時間経過に伴う変化を示す縦長のサブグラフとで表示され、詳細表示に切り替えた場合、このメイングラフとサブグラフが拡大され、詳細な目盛等が追加された形で表示部３０に表示されることになるが、３Ｄボタンの操作がなされると、特定の周波数だけでなく全周波数帯についての時間軸方向の特性も含めて一つの３次元座標上に表示されることになるので、全周波数帯の変調特性が一画面で把握できる。
【００４９】
図５、図６の右上に表示されているFundamentalボタンＢ(Fundamental)は、詳細な測定結果の表示画面から図３、図４の測定項目一覧の画面（基本画面）に戻すためのものであり、図６の状態からこのボタンがタッチ操作されると、図４の測定項目一覧の画面に戻る。
【００５０】
このように、実施形態の移動体端末試験装置２０では、複数の測定項目についての概略の測定結果が表示された領域が、その項目の詳細な測定結果を表示画面に移行させるボタンとして作用し、これらの任意のボタンをタッチ操作すれば詳細な測定結果が表示され、その詳細な測定結果の画面から３次元測定結果もワンタッチで移行でき、利便性が非常に高くなる。
【００５１】
また、上記した表示例は、移動体端末の信号品質に関する測定結果に着目したものであるが、メッセージのやりとりに関する測定モード（シグナリングテスト）が指定された場合、測定項目一覧表示手段５１は、図７に示すように、上段に二つのタッチ操作エリアＥ′(1,1)、Ｅ′(1,2)、下段に一つのタッチ操作エリアＥ′(2,1) を設定し、表示部３０に、それら各操作エリアの区画を示す枠Ｗ′(1,1) 〜Ｗ′(2,1) を表示し、各枠の上縁に項目名Ｋ′(1,1) 〜Ｋ′(2,1) を表示する。
【００５２】
この場合の項目名の具体例としては、Ｋ′(1,1)としてはメッセージのやりとりに関するシーケンス情報のチャートを表す項目名「Sequence Monitor」、Ｋ′(1,2)としては、端末からのメッセージに関する各種数値を表す項目名「UE Report」、Ｋ′(2,1)としては、試験装置と移動体端末の間で行なわれたメッセージＭとそのメッセージの内容Ｄおよび時刻Ｔからなるメッセージ情報の一部（例えば所定数の初期の情報のみ）を時系列に並べて示す項目名「Signaling Trace」である。
【００５３】
このシグナリングテストの測定項目一覧画面においても、各項目には、測定部２１で得られた測定結果に基づいて測定結果概略表示手段５４が生成した概略の表示データが表示される。そして、前記同様に有効無効指定手段５２によって無効指定された項目については、切替ボタンＢ(i,j) が表示されることになる。ただし、シグナリングテストにおいて、必須の項目に関しては、有効無効指定の対象外となり、切替ボタンは表示されない。
【００５４】
また、測定結果の概略が表示されている項目のタッチ操作エリアをタッチ操作すれば、測定結果詳細表示手段５５によってその項目についてのより詳細な測定結果が測定項目一覧画面に代わって大きく表示される。
【００５５】
ここで、例えば項目名「Signaling Trace」のタッチ操作エリアＥ′(2,1)にタッチ操作すれば、図８のように、移動体端末との間でやりとりされたメッセージの全てを時系列に並べた詳細データを生成して表示する。
【００５６】
また、項目名「Sequence Monitor」や項目名「UE Report」のタッチ操作エリアにタッチ操作した場合も、それぞれの項目についてより詳細な情報が生成されて測定項目一覧画面に代わって大きく表示される。
【００５７】
なお、移動体端末１の送信信号の品質に関する測定のモード（第１のモード）と、メッセージの授受に関する測定のモード（第２のモード）の切替えは、例えば、測定項目一覧表示の画面上にモード切替用のタブキー等を設け、それをタッチ操作させる方法が望ましいが、これに限定されず、例えば第２操作部４２を用いて切り替える方法等任意の方法で行なうことができる。
【００５８】
また、上記実施形態では、タッチパネル方式を採用した移動体端末試験装置に本発明を適用し、測定結果の２次元の詳細なグラフ表示画面に対するタッチ操作で３次元のグラフ表示画面へ移行するようにしていたが、本発明は、表示部と操作部が独立した方式の移動体端末試験装置についても同様に適用でき、３次元のグラフの表示状態へ移行するための操作は上記実施形態に限定されず、任意である。
【符号の説明】
【００５９】
１……移動体端末、２０……移動体端末試験装置、２１……測定部、２２……データ生成部、２３……送信部、２５……受信部、２６……データ解析部、３０……表示部、４０……操作部、４１……第１操作部、４２……第２操作部、５０……制御部、５１……測定項目一覧表示手段、５２……有効無効指定手段、５３……切替ボタン表示手段、５４……測定結果概略表示手段、５５……測定結果詳細表示手段、５６……３次元測定結果表示手段
【図１】
2016065753.tif 000003
【図２】
2016065753.tif 000004
【図３】
2016065753.tif 000005
【図４】
2016065753.tif 000006
【図５】
2016065753.tif 000007
【図６】
2016065753.tif 000008
【図７】
2016065753.tif 000009
【図８】
2016065753.tif 000010
【手続補正書】
【提出日】平成28年1月12日(2016.1.12)
【手続補正１】
【補正対象書類名】明細書
【補正対象項目名】０００９
【補正方法】変更
【補正の内容】
【０００９】
前記目的を達成するために、本発明の請求項１の移動体端末試験装置は、
試験対象の移動体端末との間で信号の授受を行ない、指定された測定項目に関する測定を実行する測定部（２１）と、
表示部（３０）と、
前記測定部が実行する測定項目を指定させるための操作部（４０）と、
前記操作部によって指定された測定項目を前記測定部に指定し、該指定された測定項目について得られた測定結果を前記表示部に表示する制御部（５０）とを備えた移動体端末試験装置において、
前記操作部には前記表示部の画面に重ね合わされたタッチパネル式の操作部（４１）が含まれており、
前記制御部に、
前記測定部が試験対象の移動体端末に対して実行可能な複数の測定項目にそれぞれ割当てられた複数のタッチ操作エリアを前記タッチパネル式の操作部に設定し、該複数のタッチ操作エリアの各々の外縁を示す各区画および該区画毎の測定項目名を前記表示部に一覧で表示する測定項目一覧表示手段（５１）と、
前記測定項目一覧表示手段によって表示された測定項目名が表示された測定項目についてその実行を有効にするか無効にするかを指定するための有効無効指定手段（５２）と、
前記有効無効指定手段によって無効指定された測定項目に対応するタッチ操作エリアの区画内に該測定項目を無効指定状態から有効指定状態に切り替えるための切替ボタンを表示することで、該測定項目が無効指定されていることを知らせる切替ボタン表示手段（５３）と、
前記有効無効指定手段によって有効指定された測定項目に対応するタッチ操作エリア、および、前記切替ボタン表示手段によって表示されている切替ボタンに対するタッチ操作がなされて無効指定状態から有効指定状態に変更された測定項目に対応するタッチ操作エリアの区画内に、該測定項目の測定結果の概略を表示することで、該測定項目が有効指定されていることを知らせる測定結果概略表示手段（５４）と、
前記測定結果概略表示手段によって測定結果の概略が表示されているタッチ操作エリアがタッチ操作されたとき、測定結果の詳細を前記測定項目一覧表示手段による表示に代わって表示する測定結果詳細表示手段（５５）と、
前記測定結果詳細表示手段によって測定結果の詳細が表示されている画面中にある特定のボタンがタッチ操作されたとき、時間経過に関する座標軸を含む３次元のグラフの表示データを生成して前記表示部に表示する３次元測定結果表示手段（５６）とを設けたことを特徴とする。
また、本発明の請求項２の移動体端末試験装置は、
試験対象の移動体端末との間で信号の授受を行ない、指定された測定項目に関する測定を実行する測定部（２１）と、
表示部（３０）と、
前記測定部が実行する測定項目を指定させるための操作部（４０）と、
前記操作部によって指定された測定項目を前記測定部に指定し、該指定された測定項目について得られた測定結果を前記表示部に表示する制御部（５０）とを備えた移動体端末試験装置において、
前記測定部に、
周波数軸方向に加えて時間軸方向にもセグメントが分割される変調方式に関する測定項目について、変調方式に基づいて得られる基準シンボル点に対する所定の特性値を求めるデータ解析部（２６）を含むようにし、
前記制御部に、
前記変調方式に関する測定項目について、前記測定部において得られる前記所定の特性値が含まれた異なる時間帯毎の測定結果に基づいて、時間経過に関する座標軸を含む３次元のグラフの表示データを生成して、前記表示部に全周波数帯について時間軸方向の特性も含めて一つの３次元座標上に表示する３次元測定結果表示手段（５６）を設けたことを特徴とする。
また、本発明の請求項３の移動体端末試験装置は、請求項２記載の移動体端末試験装置において、
前記操作部には前記表示部の画面に重ね合わされたタッチパネル式の操作部（４１）が含まれており、
前記制御部は、
前記測定部が試験対象の移動体端末に対して実行可能な複数の測定項目にそれぞれ割当てられた複数のタッチ操作エリアを前記タッチパネル式の操作部に設定し、該複数のタッチ操作エリアの各々の外縁を示す各区画および該区画毎の測定項目名を前記表示部に一覧で表示する測定項目一覧表示手段（５１）と、
前記測定項目一覧表示手段によって表示された測定項目名が表示された測定項目についてその実行を有効にするか無効にするかを指定するための有効無効指定手段（５２）と、
前記有効無効指定手段によって無効指定された測定項目に対応するタッチ操作エリアの区画内に該測定項目を無効指定状態から有効指定状態に切り替えるための切替ボタンを表示することで、該測定項目が無効指定されていることを知らせる切替ボタン表示手段（５３）と、
前記有効無効指定手段によって有効指定された測定項目に対応するタッチ操作エリア、および、前記切替ボタン表示手段によって表示されている切替ボタンに対するタッチ操作がなされて無効指定状態から有効指定状態に変更された測定項目に対応するタッチ操作エリアの区画内に、該測定項目の測定結果の概略を周波数軸とレベル軸の２次元のメイングラフと特定周波数における時間経過に伴う変化を示すサブグラフとで表示することで、該測定項目が有効指定されていることを知らせる測定結果概略表示手段（５４）と、
前記測定結果概略表示手段によって測定結果の概略が表示されているタッチ操作エリアがタッチ操作されたとき、測定結果の詳細を前記測定項目一覧表示手段による表示に代わって表示する測定結果詳細表示手段（５５）とをさらに含み、
前記３次元測定結果表示手段は、前記測定結果詳細表示手段によって測定結果の詳細が表示されている画面中にある特定ボタンがタッチ操作されたときに実行されることを特徴とする。
【手続補正２】
【補正対象書類名】明細書
【補正対象項目名】００２７
【補正方法】変更
【補正の内容】
【００２７】
第１操作部４１は、人の指等の接触を検知（静電方式あるいは圧電方式のいずれでもよい）するための透明電極（図示せず）が微細なピッチで配列されており、タッチされた位置を特定する情報（タッチ位置情報）を制御部５０に出力する。制御部５０は、タッチ位置情報が、予め設定したタッチ操作エリアのいずれに属するかを判定して、そのタッチ操作エリアに割当てた項目について必要な処理を行なう。
【手続補正３】
【補正対象書類名】明細書
【補正対象項目名】００２８
【補正方法】変更
【補正の内容】
【００２８】
なお、ここでは機械的操作が必要な第２操作部４２にテンキーやロータリーエンコーダ等を含めているが、テンキーやロータリーエンコーダの画像を表示部３０の画面に表示し、それらに対応する第１操作部４１の位置にタッチ操作エリアを設定して、タッチ操作させることで、数値入力や数値変更を行なうこともできる。
【手続補正４】
【補正対象書類名】明細書
【補正対象項目名】００３１
【補正方法】変更
【補正の内容】
【００３１】
図２において、測定項目一覧表示手段５１は、測定部２１が試験対象の移動体端末１に対して実行可能な複数の測定項目にそれぞれ割当てられた複数のタッチ操作エリアをタッチパネル式の第１操作部４１に設定するとともに、それら複数のタッチ操作エリアの各区画およびそれら区画毎の測定項目名を表示部３０の画面に表示する。
【手続補正５】
【補正対象書類名】特許請求の範囲
【補正対象項目名】全文
【補正方法】変更
【補正の内容】
【特許請求の範囲】
【請求項１】
試験対象の移動体端末との間で信号の授受を行ない、指定された測定項目に関する測定を実行する測定部（２１）と、
表示部（３０）と、
前記測定部が実行する測定項目を指定させるための操作部（４０）と、
前記操作部によって指定された測定項目を前記測定部に指定し、該指定された測定項目について得られた測定結果を前記表示部に表示する制御部（５０）とを備えた移動体端末試験装置において、
前記操作部には前記表示部の画面に重ね合わされたタッチパネル式の操作部（４１）が含まれており、
前記制御部に、
前記測定部が試験対象の移動体端末に対して実行可能な複数の測定項目にそれぞれ割当てられた複数のタッチ操作エリアを前記タッチパネル式の操作部に設定し、該複数のタッチ操作エリアの各々の外縁を示す各区画および該区画毎の測定項目名を前記表示部に一覧で表示する測定項目一覧表示手段（５１）と、
前記測定項目一覧表示手段によって表示された測定項目名が表示された測定項目についてその実行を有効にするか無効にするかを指定するための有効無効指定手段（５２）と、
前記有効無効指定手段によって無効指定された測定項目に対応するタッチ操作エリアの区画内に該測定項目を無効指定状態から有効指定状態に切り替えるための切替ボタンを表示することで、該測定項目が無効指定されていることを知らせる切替ボタン表示手段（５３）と、
前記有効無効指定手段によって有効指定された測定項目に対応するタッチ操作エリア、および、前記切替ボタン表示手段によって表示されている切替ボタンに対するタッチ操作がなされて無効指定状態から有効指定状態に変更された測定項目に対応するタッチ操作エリアの区画内に、該測定項目の測定結果の概略を表示することで、該測定項目が有効指定されていることを知らせる測定結果概略表示手段（５４）と、
前記測定結果概略表示手段によって測定結果の概略が表示されているタッチ操作エリアがタッチ操作されたとき、測定結果の詳細を前記測定項目一覧表示手段による表示に代わって表示する測定結果詳細表示手段（５５）と、
前記測定結果詳細表示手段によって測定結果の詳細が表示されている画面中にある特定のボタンがタッチ操作されたとき、時間経過に関する座標軸を含む３次元のグラフの表示データを生成して前記表示部に表示する３次元測定結果表示手段（５６）とを設けたことを特徴とする移動体端末試験装置。
【請求項２】
試験対象の移動体端末との間で信号の授受を行ない、指定された測定項目に関する測定を実行する測定部（２１）と、
表示部（３０）と、
前記測定部が実行する測定項目を指定させるための操作部（４０）と、
前記操作部によって指定された測定項目を前記測定部に指定し、該指定された測定項目について得られた測定結果を前記表示部に表示する制御部（５０）とを備えた移動体端末試験装置において、
前記測定部に、
周波数軸方向に加えて時間軸方向にもセグメントが分割される変調方式に関する測定項目について、変調方式に基づいて得られる基準シンボル点に対する所定の特性値を求めるデータ解析部（２６）を含むようにし、
前記制御部に、
前記変調方式に関する測定項目について、前記測定部において得られる前記所定の特性値が含まれた異なる時間帯毎の測定結果に基づいて、時間経過に関する座標軸を含む３次元のグラフの表示データを生成して、前記表示部に全周波数帯について時間軸方向の特性も含めて一つの３次元座標上に表示する３次元測定結果表示手段（５６）を設けたことを特徴とする移動体端末試験装置。
【請求項３】
前記操作部には前記表示部の画面に重ね合わされたタッチパネル式の操作部（４１）が含まれており、
前記制御部は、
前記測定部が試験対象の移動体端末に対して実行可能な複数の測定項目にそれぞれ割当てられた複数のタッチ操作エリアを前記タッチパネル式の操作部に設定し、該複数のタッチ操作エリアの各々の外縁を示す各区画および該区画毎の測定項目名を前記表示部に一覧で表示する測定項目一覧表示手段（５１）と、
前記測定項目一覧表示手段によって表示された測定項目名が表示された測定項目についてその実行を有効にするか無効にするかを指定するための有効無効指定手段（５２）と、
前記有効無効指定手段によって無効指定された測定項目に対応するタッチ操作エリアの区画内に該測定項目を無効指定状態から有効指定状態に切り替えるための切替ボタンを表示することで、該測定項目が無効指定されていることを知らせる切替ボタン表示手段（５３）と、
前記有効無効指定手段によって有効指定された測定項目に対応するタッチ操作エリア、および、前記切替ボタン表示手段によって表示されている切替ボタンに対するタッチ操作がなされて無効指定状態から有効指定状態に変更された測定項目に対応するタッチ操作エリアの区画内に、該測定項目の測定結果の概略を周波数軸とレベル軸の２次元のメイングラフと特定周波数における時間経過に伴う変化を示すサブグラフとを表示することで、該測定項目が有効指定されていることを知らせる測定結果概略表示手段（５４）と、
前記測定結果概略表示手段によって測定結果の概略が表示されているタッチ操作エリアがタッチ操作されたとき、測定結果の詳細を前記測定項目一覧表示手段による表示に代わって表示する測定結果詳細表示手段（５５）とをさらに含み、
前記３次元測定結果表示手段は、前記測定結果詳細表示手段によって測定結果の詳細が表示されている画面中にある特定ボタンがタッチ操作されたときに実行されることを特徴とする請求項２記載の移動体端末試験装置。